(57)【要約】【課題】希望の運転モードにすばやく移行し、快適性に優れた空気調和機を提供する。【解決手段】室内側ユニット（図示せず）の吸い込み温度を検知する室内吸い込み温度検知手段３と、室外側ユニット（図示せず）の吸い込み温度を検知する室外吸い込み温度検知手段７と、室内の設定温度を記憶する室内設定温度記憶手段１６と、運転開始からの経過時間を計測する運転時間計測手段２０と、運転時間計測手段２０による計測時間と一定時間とを比較する運転時間比較手段２２と、検知された室内吸い込み温度と検知された室外吸い込み温度と記憶された設定温度と運転時間比較手段２２の判定結果を受けて自動運転における冷房・除湿もしくは暖房の判定を行なう運転モード判定手段１７を備え、運転開始からの経過時間が一定時間未満で、設定温度が変更された場合、自動運転の判定をやり直すもので、設定温度に応じた運転モードにすばやく移行でき、快適性が向上する。【選択図】図２
2010139082.tif 000002
【特許請求の範囲】
【請求項１】
室内側ユニットの吸い込み温度を検知する室内吸い込み温度検知手段と、室外側ユニットの吸い込み温度を検知する室外吸い込み温度検知手段と、室内の設定温度を記憶する室内設定温度記憶手段と、運転開始からの経過時間を計測する運転時間計測手段と、予め一定時間を記憶する運転時間記憶手段と、前記運転時間計測手段による計測時間と前記運転時間記憶手段に記憶された一定時間とを比較する運転時間比較手段と、前記室内吸い込み温度検知手段で検知された室内吸い込み温度と前記室外吸い込み温度計測手段で検知された室外吸い込み温度と前記室内設定温度記憶手段に記憶された設定温度と前記運転時間比較手段の判定結果を受けて自動運転における冷房・除湿もしくは暖房の判定を行なう運転モード判定手段を備え、運転開始からの経過時間が前記一定時間未満で、かつ前記設定温度が変更された場合、再度自動運転の判定をやり直すことを特長とする空気調和機。
【請求項２】
室内側ユニットの吸い込み温度を検知する室内吸い込み温度検知手段と、室外側ユニットの吸い込み温度を検知する室外吸い込み温度検知手段と、室内の設定温度を記憶する室内設定温度記憶手段と、前記室内吸い込み温度検知手段により検知された室内吸い込み温度と前記室外吸い込み温度検知手段により検知された室外吸い込み温度と前記室内設定温度記憶手段で記憶された設定温度から自動運転における冷房・除湿もしくは暖房の判定を行なう運転モード判定手段を備え、前記設定温度が変更された場合にその変化量を記憶し、予め設定された変化量と比較する手段を持ち、前記設定温度が予め設定された変化量よりも大きく変更された場合に、再度自動運転の判定をやり直すことを特徴とする空気調和機。
【請求項３】
前回設定温度の変更を行ってからの時間を計測する時間計測手段と、その時間を記憶する時間記憶手段を備え、前記設定温度が変更された時点で、前回設定温度を変更してからの時間が予め設定された時間未満の場合、自動運転の判定を行なわないことを特徴とする請求項２に記載された空気調和機。
【発明の詳細な説明】
【技術分野】
【０００１】
本発明は、空気調和機に関するもので、特に、空気調和機の運転制御に関するものである。
【背景技術】
【０００２】
従来の空気調和機においては、一定時間経過時に、室内機の吸い込み温度と、室外機の吸い込み温度と、使用者によって設定された設定温度により、自動運転における冷房・除湿もしくは暖房の判定を行っていた（例えば、特許文献１参照）。
【特許文献１】特開平８−１２８７０２号公報
【発明の開示】
【発明が解決しようとする課題】
【０００３】
しかしながら、前記従来の空気調和機の制御では、運転モードの判定は、一定時間ごとにしか行われないので、使用者により、設定温度が大きく変えられた場合に、次の判定の時間が来るまで変わらないために、一定時間、使用者の意図した運転モードにならないという課題があった。
【０００４】
本発明は、上記従来の課題を解決するもので、使用者が設定する温度にともなう運転モードにすばやく移行し、快適性の向上を図った空気調和機を提供することを目的とする。
【課題を解決するための手段】
【０００５】
前記従来の課題を解決するために、本発明の空気調和機は、室内側ユニットの吸い込み温度を検知する室内吸い込み温度検知手段と、室外側ユニットの吸い込み温度を検知する室外吸い込み温度検知手段と、室内の設定温度を記憶する室内設定温度記憶手段と、運転開始からの経過時間を計測する運転時間計測手段と、予め一定時間を記憶する運転時間記憶手段と、前記運転時間計測手段による計測時間と前記運転時間記憶手段に記憶された一定時間とを比較する運転時間比較手段と、前記室内吸い込み温度検知手段で検知された室内吸い込み温度と前記室外吸い込み温度計測手段で検知された室外吸い込み温度と前記室内設定温度記憶手段に記憶された設定温度と前記運転時間比較手段の判定結果を受けて自動運転における冷房・除湿もしくは暖房の判定を行なう運転モード判定手段を備え、運転開始からの経過時間が前記一定時間未満で、かつ前記設定温度が変更された場合、再度自動運転の判定をやり直すもので、使用者が運転開始直後に設定温度を設定し直したとしても、その時点で再度運転モードの判定を行うことができるので、設定温度に応じた運転モードで運転することができ、快適性の向上を図ることができる。
【０００６】
また、本発明の空気調和機は、室内側ユニットの吸い込み温度を検知する室内吸い込み温度検知手段と、室外側ユニットの吸い込み温度を検知する室外吸い込み温度検知手段と、室内の設定温度を記憶する室内設定温度記憶手段と、前記室内吸い込み温度検知手段により検知された室内吸い込み温度と前記室外吸い込み温度検知手段により検知された室外吸い込み温度と前記室内設定温度記憶手段で記憶された設定温度から自動運転における冷房・除湿もしくは暖房の判定を行なう運転モード判定手段を備え、前記設定温度が変更された場合にその変化量を記憶し、予め設定された変化量と比較する手段を持ち、前記設定温度が予め設定された変化量よりも大きく変更された場合に、再度自動運転の判定をやり直すもので、使用者が意図して設定温度を大きく変えた場合に、即座にその設定温度に応じた運転モードに移行し、設定温度に応じた運転モードで常に運転することができ、快適性の向上を図ることができる。
【発明の効果】
【０００７】
本発明の空気調和機は、自動運転の際、設定温度が変更された場合に、それに応じた運転モード判定を実施できるため、使用者が設定する温度にともなう運転モードにすばやく移行し快適性の向上を図ることが可能となるものである。
【発明を実施するための最良の形態】
【０００８】
第１の発明は、室内側ユニットの吸い込み温度を検知する室内吸い込み温度検知手段と、室外側ユニットの吸い込み温度を検知する室外吸い込み温度検知手段と、室内の設定温度を記憶する室内設定温度記憶手段と、運転開始からの経過時間を計測する運転時間計測手段と、予め一定時間を記憶する運転時間記憶手段と、前記運転時間計測手段による計測時間と前記運転時間記憶手段に記憶された一定時間とを比較する運転時間比較手段と、前記室内吸い込み温度検知手段で検知された室内吸い込み温度と前記室外吸い込み温度計測手段で検知された室外吸い込み温度と前記室内設定温度記憶手段に記憶された設定温度と前記運転時間比較手段の判定結果を受けて自動運転における冷房・除湿もしくは暖房の判定を行なう運転モード判定手段を備え、運転開始からの経過時間が前記一定時間未満で、かつ前記設定温度が変更された場合、再度自動運転の判定をやり直すもので、使用者が運転開始直後に設定温度を設定し直したとしても、その時点で再度運転モードの判定を行うことができるので、設定温度に応じた運転モードで運転することができ、快適性の向上を図ることができる。
【０００９】
第２の発明は、室内側ユニットの吸い込み温度を検知する室内吸い込み温度検知手段と、室外側ユニットの吸い込み温度を検知する室外吸い込み温度検知手段と、室内の設定温度を記憶する室内設定温度記憶手段と、前記室内吸い込み温度検知手段により検知された室内吸い込み温度と前記室外吸い込み温度検知手段により検知された室外吸い込み温度と前記室内設定温度記憶手段で記憶された設定温度から自動運転における冷房・除湿もしくは暖房の判定を行なう運転モード判定手段を備え、前記設定温度が変更された場合にその変化量を記憶し、予め設定された変化量と比較する手段を持ち、前記設定温度が予め設定された変化量よりも大きく変更された場合に、再度自動運転の判定をやり直すもので、使用者が意図して設定温度を大きく変えた場合に、即座にその設定温度に応じた運転モードに移行し、設定温度に応じた運転モードで常に運転することができ、快適性の向上を図ることができる。
【００１０】
第３の発明は、特に、第２の発明の前回設定温度の変更を行ってからの時間を計測する時間計測手段と、その時間を記憶する時間記憶手段を備え、前記設定温度が変更された時点で、前回設定温度を変更してからの時間が予め設定された時間未満の場合、自動運転の判定を行なわないようにしたもので、設定温度が短時間に何度も変更された場合に頻繁にモード変更が発生することを抑えることができ、快適性の向上を図ることができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における空気調和機の冷凍サイクル図、図２は、同空気調和機の制御方法を示すブロック図、図３は、同空気調和機の制御方法を示すフローチャートである。
【００１３】
図１において、本実施の形態における空気調和機は、室内側ユニット１と、室外側ユニット２から構成され、室内側ユニット１には、室内側ユニット１の吸い込み温度を検知する室内吸い込み温度検知手段３と、室内熱交換器４と、室内熱交換器４の温度を検知する室内熱交換器温度センサ５と、室内の空気を吸引し、それを室内熱交換器４に通すための
室内送風装置６を備え、室外ユニット２には、室外側ユニット２の吸い込み温度を検知する室外吸い込み温度検知手段７と、室外熱交換器８と、室外熱交換器８の温度を検知する室外熱交換器温度センサ９と、室外熱交換器８に外気を当てる室外送風装置１０と、圧縮機１１と、絞り機構１２と、四方弁１３を備えている。
【００１４】
図２において、本実施の形態における空気調和機は、更に、室内設定温度記憶手段１６と、運転モード判定手段１７と、室内設定温度変化量記憶手段１８と、室内設定温度変化量比較手段１９と、運転時間計測手段２０と、運転時間記憶手段２１と、運転時間比較手段２２と、前回の設定変更からの時間計測手段２３と、前回の設定変更からの時間記憶手段２４と、前回の設定変更からの時間比較手段２５とを備え、室内設定温度記憶手段１６と、室内吸い込み温度検知手段３と、室外吸込み温度検知手段７の情報により、運転モード判定手段１７で運転モードの判定を行う。
【００１５】
そして、室内設定温度変化量記憶手段１８と、室内設定温度変化量比較手段１９、運転時間計測手段２０、運転時間記憶手段２１、運転時間比較手段２２、前回の設定変更からの時間計測手段２３と、前回の設定変更からの時間記憶手段２４と、前回の設定変更からの時間比較手段２５のそれぞれの条件を満たした場合に、運転モードを変更するものである。
【００１６】
次に、図３を用いて、本実施の形態における空気調和機の制御方法を説明する。
【００１７】
自動運転開始時には、ステップ１（以下「ＳＴ１」という）で、室内吸い込み温度検知手段３、室外吸い込み温度検知手段７、室内設定温度記憶手段１６によりそれぞれの温度を取得する。それと同時に、ＳＴ２では、運転時間記計測手段２０により運転開始からの時間を計測し、ＳＴ３では、ＳＴ２で計測した運転時間を、運転時間記憶手段２１に記憶する。
【００１８】
次にＳＴ４では、ＳＴ１で得られた温度から、運転モード判定手段１７により、初回の運転モード判定を行い、決定された運転モードで運転を開始する（ＳＴ５）。その後、ＳＴ６で、設定温度の変更が検知された場合、ＳＴ７では、ＳＴ３で記憶されている運転時間と、予め記憶されている設定温度変更によるモード変更を許可する運転開始からの予め決められた一定時間ＴＩＭＥ１とを、前回の設定変更からの時間比較手段２５により比較し、運転時間がＴＩＭＥ１未満であった場合、再びＳＴ３に戻りそれぞれの温度検知手段により検知された温度より、再度ＳＴ４で運転モード判定手段１７によるモード判定を行うものである。
【００１９】
（実施の形態２）
図４は、本発明の実施の形態２における空気調和機の制御方法を示すフローチャートである。なお、上記第１の実施の形態における空気調和機と同一部分には同一符号を付してその説明を省略する。
【００２０】
図４において、本実施の形態における空気調和機は、自動運転開始時には、ＳＴ８により、室内吸い込み温度検知手段３、室外吸い込み温度検知手段７、室内設定温度記憶手段１６によりそれぞれの温度を取得する。それと同時に、ＳＴ９では、前回の設定変更からの時間計測手段２３により、設定温度が変更されてからの時間を計測し、ＳＴ９で計測した時間を、前回の設定変更からの時間記憶手段２４に記憶する。
【００２１】
次に、ＳＴ１１では、ＳＴ８で得られた温度から運転モード判定手段１７により、運転モード判定を行い、判定された運転モードで運転を開始する（ＳＴ１２）。その後ＳＴ１３で、設定温度の変更が検知された場合、ＳＴ１４では、予め記憶されている設定温度の
変化量の基準（ΔＴ）と今回の設定温度の変化量とを比較し、変化量がΔＴ以上であった場合に、ＳＴ１５へと進む。
【００２２】
ＳＴ１５では、ＳＴ１０で記憶されている前回の変更からの時間と予め記憶されている設定温度変更によるモード変更を禁止する前回設定温度変更からの時間基準ＴＩＭＥ２とを、前回の設定変更からの時間比較手段２５により比較し、記憶されている時間が、ＴＩＭＥ２を越えている場合、再びＳＴ８に戻りそれぞれの温度検知手段により検知された温度より、再度ＳＴ１１で運転モード判定手段１７によるモード判定を行う。
【産業上の利用可能性】
【００２３】
以上のように、本発明にかかる空気調和機は、設定温度変更に対する応答性が向上するので、室内吸い込みセンサ、室外吸い込みセンサを有して、モード判定を行う機器に応用可能である。
【図面の簡単な説明】
【００２４】
【図１】本発明の実施の形態１における空気調和機の冷凍サイクル図
【図２】同空気調和機の制御方法を示すブロック図
【図３】同空気調和機の制御方法を示すフローチャート
【図４】本発明の実施の形態２における空気調和機の制御方法を示すフローチャート
【符号の説明】
【００２５】
１  室内側ユニット
２  室外側ユニット
３  室内吸い込み温度検知手段
４  室内熱交換器
５  室内熱交換器温度センサ
６  室内送風装置
７  室外吸い込み温度検知手段
８  室外熱交換器
９  室外熱交換器温度検知手段
１０  室外送風装置
１１  圧縮機
１２  絞り機構
１３  四方弁
１６  室内設定温度記憶手段
１７  運転モード判定手段
１８  室内設定温度変化量記憶手段
１９  室内設定温度変化量比較手段
２０  運転時間計測手段
２１  運転時間記憶手段
２２  運転時間比較手段
２３  前回の設定変更からの時間計測手段（時間計測手段）
２４  前回の設定変更からの時間記憶手段（時間記憶手段）
２５  前回の設定変更からの時間比較手段（時間比較手段）
【図２】
2010139082.tif 000003
【図３】
2010139082.tif 000004
【図４】
2010139082.tif 000005
【図１】
2010139082.tif 000006